【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
携帯型情報処理装置本体の筐体側面部に盗難防止用のセキュリティワイヤーのロック刃を差し込んでロックするセキュリティワイヤースロットを備え、
前記装置本体の表面より浸入した「水」を前記セキュリティワイヤースロットから装置本体の外に排水するようにし、以って、前記セキュリティワイヤースロットを前記装置本体の表面より浸入した「水」の排水口と兼用させたことを特徴とする携帯型情報処理装置。
【請求項２】
前記セキュリティワイヤースロットが設けられた装置本体の筐体側面部の内側に、天面と底面とともに該セキュリティワイヤースロットを囲むように３方に側内壁を設け、前記「水」を排水口に通水する通水用穴部を前記３方の側内壁のうち、前記筐体側面部と対面しない側内壁に設けたことを特徴とする請求項１に記載の携帯型情報処理装置。
【手続補正２】
【補正対象書類名】明細書
【補正対象項目名】全文
【補正方法】変更
【補正の内容】
【発明の詳細な説明】
【発明の名称】携帯型情報処理装置
【技術分野】
【０００１】
本発明は、ノート型パーソナルコンピュータ（以下、ノートパソコンという）のような携帯型情報処理装置に関し、ノートパソコンを盗難から防止するセキュリティワイヤースロットの設置部構造に関するものである。
【背景技術】
【０００２】
近年、ノートパソコンのような携帯型情報処理装置は、その携帯性を高めるため装置自体の薄型化、軽量化が進められ、外郭を構成する筐体の薄型化も進められている。
【０００３】
一方では、ヒューマンインターフェースでもあるキーボード、マウスパッド、文字、画像等を表示する液晶パネルを用いた表示部はあまり小さくすると操作者の使い勝手の面から好ましくない。従って、ノートパソコン本体、または表示部を薄型化してその携帯性を高めようとする傾向がある。
【０００４】
しかしながら、キーボード、マウスパッドを配置したノートパソコン本体の平面部に対して側面部（厚み方向の面）にはＡＣ電源から電力供給を受ける電源ジャック端子、外部機器を接続する入出力端子、バッテリー挿抜スロット、ＦＤ、ＣＤ，ＤＶＤドライブ開口部、電源スイッチをはじめとした各種操作ボタン等々様々なデバイスが配置されている。前述のようにノートパソコンの薄型化に伴い、ノートパソコン本体側面部にとって益々これらの端子、デバイスの配置が設計上難しくになっている。
【０００５】
また、ノートパソコンはその携帯性に富み屋外で使用するケースも多くなっている。その反面、屋外使用故、故障につながる要因も多くなっている。雨天時には雨水がキーボード、マウスパッド、ボタンの隙間から浸入して電子機器の回路を損傷する場合もあり、屋内であっても操作者が飲み物を誤ってキーボード、マウスパッド上にこぼすといったケースもある。（以下、雨水、結露による水滴、誤ってこぼした飲み物、電子機器の回路にとって有害な液体を「水」として総称する。）
以下に従来のノートパソコンについて説明する。
【０００６】
図４は従来のノートパソコンの一部を透視した概略斜視図である。
【０００７】
図４において、１０はノートパソコン、１１は図示しないＣＰＵ（中央処理装置）などの情報処理回路等を収容したノートパソコン１０の本体部、１２は液晶パネル等からなる表示部、１３はキーボード、１４はマウスパッドである。
【０００８】
近年では「水」がキーボード１３、マウスパッド１４の隙間から浸入してもノートパソコン本体部１１の表面は防滴のための２重構造になっているノートパソコンもある。キーボード１３、マウスパッド１４の隙間から浸入した「水」はノートパソコン本体部１１の内部まで浸入することなく、「水」を導く図示しない溝、管により集水してノートパソコン本体部１１の側面に配置した排水口２５より排水する。
【特許文献１】特開２００５−２５８８３５号公報
【発明の開示】
【発明が解決しようとする課題】
【０００９】
また、近年はセキュリティ機能が搭載されているノートパソコンが増えている。たとえノートパソコンを盗まれたとしても、ＨＤＤ（ハードディスクドライブ）パスワードや起動時パスワードを設定することで、起動を不可能にしてノートパソコン内のデータを保護している。しかし、一般ユーザにとってデータの盗難などよりも、物理的にノートパソコンが盗難にあった精神的ショックの方が大きい場合も多い。
【００１０】
そこで、ノートパソコンを物理的盗難から守る「セキュリティワイヤー」がある。ほとんどのノートパソコンにはセキュリティワイヤースロットが搭載されており、このスロットにセキュリティワイヤーのロック刃を差し込んでロックすることで、物理的な盗難から守ることが可能である。
【００１１】
しかしながら、前述のように薄型化が進化したノートパソコンにとって、このセキュリティワイヤースロットを配置する場所は限られている。ノートパソコンの表示部を閉じた状態で机上のような平らな場所に置いた状態でセキュリティワイヤーによりロックする場合、セキュリティワイヤースロットの好適な配置は本体部の４つの側面である。表示部背面はデザイン上問題であり、本体部裏面ではセキュリティワイヤーによるロック時、ノートパソコンは不安定である。
【００１２】
本発明は上記従来の問題点を解決するもので、ノートパソコンの薄型化、小型化によってもセキュリティワイヤースロットの配置と本体部の表面より浸入した「水」を内部に浸入しないように集水して排水する排水口の設置を容易に可能にしたものである。
【課題を解決するための手段】
【００１３】
本発明は、携帯型情報処理装置本体の筐体側面部に盗難防止用のセキュリティワイヤーのロック刃を差し込んでロックするセキュリティワイヤースロットを備え、前記装置本体の表面より浸入した「水」を前記セキュリティワイヤースロットから装置本体の外に排水するようにし、以って、セキュリティワイヤースロットを装置本体の表面より浸入した「水」の排水口と兼用させたものであり、セキュリティワイヤースロットをキーボード、マウスパッドの隙間から浸入した「水」を排水する排水口と兼用することで薄型化したノートパソコンの本体側面部を有効利用できるという作用を有する。
【発明の効果】
【００１４】
以上のように本発明は、セキュリティワイヤースロットをキーボード、マウスパッドの隙間から浸入した「水」滴を排水する排水口と兼用することにより、それぞれスロットおよび排水口を別に設ける必要がなく、薄型化したノートパソコン本体の側面部を有効利用できるという効果が得られる。
また、セキュリティワイヤースロットが設けられた装置本体の筐体側面部の内側に、天面と底面とともに該セキュリティワイヤースロットを囲むように３方に側内壁を設け、「水」を排水口に通水する通水用穴部を前記３方の側内壁のうち、前記筐体側面部と対面しない側内壁に設けたことにより、異物、ゴミ、埃がノートパソコン本体の内部まで浸入するようなこともないという有益なものである。
【発明を実施するための最良の形態】
【００１５】
以下、本発明の実施の形態について、図１から図３を用いて説明する。
【００１６】
（実施の形態１）
図１は本発明のノートパソコンの一部を透視した概略斜視図である。
【００１７】
図１において、１０はノートパソコン、１１は図示しないＣＰＵ（中央処理装置）などの情報処理回路等を収容したノートパソコン１０の本体部、１２は液晶パネル等からなる表示部、１３はキーボード、１４はマウスパッドである。
【００１８】
また１６はセキュリティワイヤーである。１６１はセキュリティワイヤー１６のロック部本体であり、図１ではロック部本体１６１のダイヤル１６２を暗証番号に合わせることでロック刃１６３が解除され、ロック解除されたロック刃１６３はノートパソコン１０の本体部１１の側面部に配置したセキュリティワイヤースロット１５に挿抜可能に伸縮する。１６４はワイヤーであり、一端はロック部本体１６１に締結され、ワイヤー１６４の他端（図示せず）は持ち運び困難な机の支柱などに簡単につなぐことができるように構成されている。
【００１９】
ワイヤーは特殊な工具でないと切断することは出来ないので、一旦セキュリティワイヤー１６によってセキュリティワイヤースロット１５をロックすれば、ノートパソコン１０の物理的な盗難は困難である。
【００２０】
図２はノートパソコン本体部のキーボード側の上側筐体を除いたセキュリティワイヤースロット部の斜視図である。
【００２１】
図３はセキュリティワイヤーのロック刃がセキュリティワイヤースロットに挿入されロックされた状態を示す斜視図である。
【００２２】
図２，図３において１５はノートパソコン本体部１１の筐体側面部に設けられたセキュリティワイヤースロットであり、このセキュリティワイヤースロット１５は排水口をも兼用する穴部である。また、１７は侵入して集められた「水」をノートパソコン本体１１の内部を通して排水するために筐体内の内壁に設けられた通水用の穴部である。
【００２３】
以上のように構成されたノートパソコンについて、図１〜図３を用いてその動作を説明する。
【００２４】
図１において、セキュリティワイヤースロット１５は、キーボード１３、マウスパッド１４の隙間から浸入した「水」を集水して排水する排水口を兼用している。
【００２５】
このようにすることで薄型化した近年のノートパソコン本体部１１の側面部を有効利用できる。
【００２６】
図２，図３においてノートパソコン本体部１１内に浸入し、破線矢印のように集水した「水」は内壁に設けられた通水用の穴部１７、セキュリティワイヤースロット兼排水口１５を通って本体部１１の外に排水される。矢印で示した排水経路の底面１８は排水がスムーズに行われるように図示しないが傾斜が設けられている。また、排水口１５付近の底面１８には「水」が流れ落ちるようにして排水がスムーズに行われるようにセキュリティワイヤースロット１５の穴部を延長した切り欠き部１８１が設けられている。
【００２７】
また、セキュリティワイヤースロット１５が設けられた本体部１１の筐体側面部の内部は天面、底面の他、３方に側内壁が設けられており、セキュリティワイヤースロット１５の穴部から異物、ゴミ、埃がノートパソコン本体内部まで浸入しないようになっている。つまり、内壁に設けられた通水用穴部１７は、セキュリティワイヤースロット１５が設けられている本体部１１の筐体側面部と対面する側内壁には配置せず、左右いずれかの側内壁、すなわち、本体部１１の前記側面部と対面しない側内壁に配置することで、さらに異物、ゴミ、埃がノートパソコン本体内部まで浸入しないように形成されている。
【００２８】
以上のように本実施の形態によれば、セキュリティワイヤースロットをキーボード、マウスパッドの隙間から浸入した「水」を排水する排水口と兼用することで薄型化したノートパソコン本体側面部の有効利用が図れる。
【００２９】
なお、以上の説明では排水口を兼用するセキュリティワイヤースロット１５をノートパソコン本体部１１の側面部（図では右側面部後方）に設けたが、本体部１１の手前の側面部、本体部後方の側面部、本体部手前コーナーの側面部、本体部後方コーナーの側面部に設けてもよいことは言うまでもない。
【産業上の利用可能性】
【００３０】
本発明にかかるノートパソコンは、セキュリティワイヤースロットをキーボード、マウスパッドの隙間から浸入した「水」を排水する排水口と兼用することで薄型化したノートパソコン本体側面部を有効利用できるといった効果を有し、ノートパソコンのような携帯型情報処理装置のセキュリティワイヤースロットの配置設計等として有用である。
【図面の簡単な説明】
【００３１】
【図１】本発明のノートパソコンの一部を透視した概略斜視図
【図２】ノートパソコン本体部のキーボード側の上側筐体を除いたセキュリティワイヤースロット部の斜視図
【図３】セキュリティワイヤーのロック刃がセキュリティワイヤースロットに挿入されロックされた状態を示す斜視図
【図４】従来のノートパソコンの一部を透視した概略斜視図
【符号の説明】
【００３２】
１０  ノートパソコン
１１  ノートパソコン本体部
１２  ノートパソコン表示部
１３  キーボード
１４  マウス
１５  セキュリティワイヤースロット、排水口
１６  セキュリティワイヤー
１６１  ロック部本体
１６２  ダイヤル
１６３  ロック刃
１６４  ワイヤー
１７  通水穴
１８  底面